(57)【特許請求の範囲】
【請求項１】
ワイパアームの取付板部にウオッシャノズル部材の挟み込み取付部を挟み込んで、ワイパアームにウオッシャノズルを取り付けるワイパアームにおいて、
前記取付板部および前記ウオッシャノズル部材には、
前記取付板部と前記ウオッシャノズル部材との当接により、前記取付板部に前記挟み込み取付部を差し込む差し込み方向の動きを規制する第１規制手段と、
前記取付板部と前記ウオッシャノズル部材との当接により、前記挟み込み取付部が前記取付板部を挟み込む挟み込み方向、および、前記差し込み方向と、それぞれ交差する方向の動きを規制する第２規制手段と、
前記第１規制手段により前記差し込み方向の動きが規制された際に、前記取付板部と前記ウオッシャノズル部材とが相互に係合することにより、前記差し込み方向と反対方向の抜けを防止する抜け止め係合手段と、
がそれぞれ設けられており、
前記取付板部の前記抜け止め係合手段と前記ウオッシャノズル部材の前記抜け止め係合手段とには、前記取付板部に前記挟み込み取付部を差し込む際に、当接してスライドする傾斜面がそれぞれ設けられており、
前記挟み込み取付部には、前記抜け止め係合手段の傾斜面が当接スライドする際に弾性変形する弾性変形部が設けられている、
ことを特徴とするワイパアームにおけるウオッシャノズルの取付構造。
【請求項２】
前記取付板部と前記ウオッシャノズル部材とには、前記取付板部に前記ウオッシャノズル部材を組み付ける際に前記第１規制手段および前記第２規制手段および前記抜け止め手段が所定の位置にガイドされるためのガイドが、それぞれ設けられている、ことを特徴とする請求項１に記載のワイパアームにおけるウオッシャノズルの取付構造。
【発明の詳細な説明】
【０００１】
【発明の属する技術分野】
この発明は、ワイパアームにおけるウオッシャノズルの取付構造に係るものである。特に、この発明は、ワイパアームの取付板部にウオッシャノズル部材を簡単に組み付けることができ、しかも、一旦組み付けるとウオッシャノズル部材がワイパアームの取付板部に確実に取り付けられるワイパアームにおけるウオッシャノズルの取付構造に関するものである。
【０００２】
【従来の技術】
この種のウオッシャノズルの取付構造としては、たとえば、実用新案登録公報（第２５７３８６９号）に記載のものがある。この取付構造は、アームピース（５）のウオッシャノズル取付部（５ｂ）に突部（５ｂ２）を設け、ウオッシャノズル（８）の本体（８ａ）に弾性変形可能な天壁（８ｃ）を設け、その天壁（８ｃ）に係止孔（８ｃ１）を設けたものである。
【０００３】
この取付構造は、アームピース（５）のウオッシャノズル取付部（５ｂ）にウオッシャノズル（８）の本体（８ａ）と天壁（８ｃ）とを挟み込み、アームピース（５）の突部（５ｂ２）にウオッシャノズル（８）の係止孔（８ｃ１）を係止するものである。
【０００４】
【発明が解決しようとする課題】
この種のワイパアームにおけるウオッシャノズルの取付構造においては、ワイパアームにウオッシャノズルを簡単に組み付けることができ、しかも、一旦組み付けるとウオッシャノズルがワイパアームに確実に取り付けられることが重要な事項である。
【０００５】
この発明は、ワイパアームの取付板部にウオッシャノズル部材を簡単に組み付けることができ、しかも、一旦組み付けるとウオッシャノズル部材がワイパアームの取付板部に確実に取り付けられるワイパアームにおけるウオッシャノズルの取付構造を提供することを目的とする。
【０００６】
【課題を解決するための手段】
上記の目的を達成するために、請求項１にかかる発明は、取付板部およびウオッシャノズル部材に、取付板部とウオッシャノズル部材との当接により、取付板部に挟み込み取付部を差し込む差し込み方向の動きを規制する第１規制手段と、取付板部とウオッシャノズル部材との当接により、挟み込み取付部が取付板部を挟み込む挟み込み方向、および、前記差し込み方向と、それぞれ交差する方向の動きを規制する第２規制手段と、第１規制手段により前記差し込み方向の動きが規制された際に、取付板部とウオッシャノズル部材とが相互に係合することにより、前記差し込み方向と反対方向の抜けを防止する抜け止め係合手段と、をそれぞれ設け、取付板部に挟み込み取付部を差し込む際に当接してスライドする傾斜面を取付板部の抜け止め係合手段とウオッシャノズル部材の抜け止め係合手段とにそれぞれ設け、抜け止め係合手段の傾斜面が当接スライドする際に弾性変形する弾性変形部を挟み込み取付部に設ける、ことを特徴とする。また、請求項２にかかる発明は、取付板部とウオッシャノズル部材とに、取付板部にウオッシャノズル部材を組み付ける際に第１規制手段および第２規制手段および抜け止め手段が所定の位置にガイドされるためのガイドを、それぞれ設ける、ことを特徴とする。
【０００７】
この結果、請求項１にかかる発明は、ワイパアームの取付板部にウオッシャノズル部材を組み付ける際に、取付板部に挟み込み取付部を差し込むと、抜け止め係合手段の傾斜面が当接スライドすると共に、挟み込み取付部の弾性変形部が弾性変形する。このために、請求項１にかかる発明は、ワイパアームの取付板部にウオッシャノズル部材を簡単に組み付けることができる。
【０００８】
また、請求項１にかかる発明は、ワイパアームの取付板部にウオッシャノズル部材を一旦組み付けると、挟み込み取付部が取付板部を挟み込み、第１規制手段が差し込み方向の動きを規制し、第２規制手段が挟み込み方向および差し込み方向とそれぞれ交差する方向の動きを規制し、抜け止め手段が差し込み方向と反対方向の抜けを防止する。これにより、請求項１にかかる発明は、一旦組み付けるとウオッシャノズル部材がワイパアームの取付板部に確実に取り付けられる。特に、請求項２にかかる発明は、取付板部にウオッシャノズル部材を組み付ける際に、取付板部のガイドとウオッシャノズル部材のガイドとのガイド作用により、第１規制手段および第２規制手段および抜け止め手段が所定の位置にガイドされる。これにより、請求項２にかかる発明は、取付板部にウオッシャノズル部材を確実に組み付けることができる。
【０００９】
【発明の実施の形態】
以下、この発明にかかるワイパアームにおけるウオッシャノズルの取付構造の実施形態の１例を添付図面を参照して説明する。なお、この実施形態によりこの発明が限定されるものではない。
【００１０】
（実施の形態の構成の説明）
図において、１はワイパアームである。このワイパアーム１は、アームヘッド２とリテーナ３とから構成されている。
【００１１】
アームヘッド２の一端は、ワイパ軸４に取り付けられる。このアームヘッド２の他端には、リテーナ３の一端がワイパ軸４と交差するリベット５により回転可能に取り付けられている。ワイパ軸４は、動力伝達手段を介してワイパ駆動手段に取り付けられている。これにより、ワイパアーム１は、高速往復回転、低速往復回転、間欠往復回転などする。
【００１２】
リテーナ３の他端には、ワイパブレードが着脱可能に取り付けられる。このワイパブレードは、払拭面、たとえば、自動車のフロントウインドウガラス面に付着した水滴などを払拭する。
【００１３】
リテーナ３は、この例では鋼板をプレス加工して形成されている。なお、リテーナ３は、樹脂により成形しても良い。このリテーナ３は、断面コの字形状をなす。このリテーナ３の一側板には、取付板部６が形成されている。
【００１４】
図３に示すように、取付板部６には、３個の凹部がそれぞれ設けられている。この中央の凹部の突き当たり面には、第１規制手段としての当接面７が設けられている。左右両側の凹部の左右両側面には、第２規制手段としての当接面８がそれぞれ設けられている。また、左右両側の凹部の外側の面には、末広がりのガイド面２４がそれぞれ設けられている。
【００１５】
取付板部６には、抜け止め係合手段としての凸片９が中央の凹部の左側の開口部分を塞ぐようにして一体に設けられている。この凸片９の垂直後面には、係合面９０が設けられている。また、この凸片９の外側の面には、傾斜面１０が設けられている。この傾斜面１０は、差し込み方向Ａに対して上り勾配をなす。
【００１６】
図において、１１はウオッシャノズル部材である。このウオッシャノズル部材１１は、この例では樹脂により成形されている。このウオッシャノズル部材１１は、図４および図５に示すように、本体部１２と、この本体部１２の下面の左右両端部に一体に設けたＬ字形状の弾性脚部１３、１３とを有する。図４（Ｂ）、（Ｃ）および図７（Ａ）、（Ｂ）、（Ｃ）に示すように、前記弾性脚部１３、１３の先端部は、前記本体部１２よりも外側に突出している。前記弾性脚部１３、１３の先端部の前記本体部１２と対向する側の面には、傾斜面が設けられている。
【００１７】
この本体部１２と、２個の弾性脚部１３、１３とは、挟み込み取付部を構成する。また、この２個の弾性脚部１３、１３のうち、本体部１２との付け根部分には、抜け止め係合手段としての凸片９、凸部１９の傾斜面１０、２０が当接スライドする際に弾性変形する弾性変形部１４、１４が、構成されている。さらに、付け根部分の左右両側面には、第２規制手段としての当接面１５、１５がそれぞれ設けられている。
【００１８】
本体部１２の下面のほぼ中央には、下面から見て前方後円形状の台部１６が一体に設けられている。この台部１６の半円形の後部面には、第１規制手段としての当接面１７が設けられている。この台部１６の下面には、チューブ接続用の管部１８が一体に設けられている。
【００１９】
本体部１２の下面の台部１６の左側には、抜け止め係合手段としての凸部１９が一体に設けられている。この凸部の１９の垂直前面には、係合面１９０が設けられている。また、この凸部１９の下面には、傾斜面２０が設けられている。この傾斜面２０は、差し込み方向Ａに対して下り勾配をなす。
【００２０】
本体部１２には、４個のウオッシャ液を噴射する噴射口２１およびウオッシャ液を供給する供給路２２がそれぞれ設けられている。この４個の噴射口２１と供給路２２とは、それぞれ連通されている。また、この４個の噴射口２１は、払拭面に向いている。さらに、供給路２２は、管部１８において開口されている。管部１８には、ウオッシャ液を供給するチューブなど２３の一端が嵌合固定されている。このチューブなど２３の他端は、ウオッシャ液供給装置（図示せず）に接続されている。
【００２１】
（実施の形態の作用の説明）
この実施の形態におけるウオッシャノズルの取付構造は、以上のごとき構成からなり、以下、その作用について説明する。
【００２２】
まず、ワイパアーム１の取付板部６にウオッシャノズル部材１１の挟み込み取付部（本体部１２と弾性脚部１３、１３）を矢印Ａ方向に差し込む。すると、図９（Ｂ）に示すように、ワイパアーム１およびウオッシャノズル部材１１の抜け止め係合手段としての凸片９、凸部１９の傾斜面１０、２０が当接スライドする。このとき、図７（Ｂ）および図９（Ｂ）に示すように、ウオッシャノズル部材１１の弾性変形部１４、１４が弾性変形して、本体部１２が矢印Ｇ方向に開く。
【００２３】
さらに、取付板部６に本体部１２と弾性脚部１３、１３を矢印Ａ方向に差し込む。すると、図６（Ｂ）および図８（Ｂ）に示すように、ワイパーアーム１の第１規制手段の当接面７にウオッシャノズル部材１１の第１規制手段の当接面１７が当接する。この結果、第１規制手段の当接面７、１７の当接により、取付板部６に本体部１２と弾性脚部１３、１３を差し込む差し込み方向Ａの動きが規制される。
【００２４】
また、第１規制手段の当接面１７が当接したときに、図６（Ｂ）および図９（Ｃ）に示すように、弾性変形していた弾性変形部１４、１４が元の状態に弾性復帰する。このために、開いた状態にある本体部１２が閉じ、ワイパーアーム１の抜け止め係合手段としての凸片９の係合面９０にウオッシャノズル部材１１の抜け止め手段としての凸部１９の係合面１９０が当接する。この結果、係合面９０、１９０の係合により、ウオッシャノズル部材１１がワイパアーム１から差し込み方向Ａと反対方向Ｄに抜けるのを防止することができる。
【００２５】
さらに、第１規制手段の当接面１７が当接し、かつ、係合面９０、１９０が係合したときに、図６（Ｂ）に示すように、ワイパーアーム１の第２規制手段の当接面８にウオッシャノズル部材１１の第２規制手段の当接面１５、１５が当接する。この結果、第２規制手段の当接面８、１５、１５の当接により、本体部１２と弾性脚部１３、１３が本体板部６を挟み込む挟み込み方向、および、取付板部６に本体部１２と弾性脚部１３、１３を差し込む差し込み方向Ａと、それぞれ交差する方向（直行する方向）Ｆの動きが規制される。
【００２６】
さらにまた、第１規制手段の当接面７、１７が当接し、また、抜け止め係合手段としての凸片９、凸部１９の係合面９０、１９０が係合し、さらに、第２規制手段の当接面８、１５、１５が当接したときに、図７（Ｃ）に示すように、取付板部６の上下面に本体部１２の下面と弾性脚部１３、１３の上面とが弾性当接する。すなわち、取付板部６に挟み込み取付部が挟み込む。この結果、ウオッシャノズル部材１１がワイパアーム１に対して挟み込み方向と反対方向Ｅのがたを防止することができる。
【００２７】
（実施の形態の効果の説明）
このように、この実施の形態におけるウオッシャノズルの取付構造は、以上のごとき構成からなるので、以下の効果を達成することができる。
【００２８】
すなわち、この実施の形態におけるウオッシャノズルの取付構造は、ワイパアーム１の取付板部６にウオッシャノズル部材１１を組み付ける際に、取付板部６に挟み込み取付部（本体部１２と弾性脚部１３、１３）を差し込むと、抜け止め係合手段としての凸片９、凸部１９の傾斜面１０、２０が当接スライドすると共に、弾性脚部１３、１３の弾性変形部１４、１４が弾性変形する。このために、この実施の形態におけるウオッシャノズルの取付構造は、ワイパアーム１の取付板部６にウオッシャノズル部材１１を簡単に組み付けることができる。
【００２９】
また、この実施の形態におけるウオッシャノズルの取付構造は、ワイパアーム１の取付板部６にウオッシャノズル部材１１を一旦組み付けると、本体部１２と弾性脚部１３、１３とが取付板部６を挟み込み、第１規制手段の当接面７、１７が差し込み方向Ａの動きを規制し、第２規制手段の当接面８、１５、１５が挟み込み方向および差し込み方向Ａとそれぞれ交差する方向Ｆの動きを規制し、抜け止め係合手段としての凸片９、凸部１９の係合面９０、１９０が差し込み方向Ａと反対方向Ｄの抜けを防止する。これにより、この実施の形態におけるウオッシャノズルの取付構造は、一旦組み付けるとウオッシャノズル部材１１がワイパアーム１の取付板部６に確実に取り付けられる。
【００３０】
特に、この実施の形態におけるウオッシャノズルの取付構造は、ワイパアーム１の取付板部６にウオッシャノズル部材１１を組み付ける際に、図６（Ａ）に示すように、ウオッシャノズル部材１１の弾性脚部１３、１３の付け根部の外側の面（弾性脚部１３、１３の付け根部分の左右両側面、すなわち、第２規制手段としての当接面１５、１５のうちの外側の当接面１５、１５）がワイパアーム１のガイド面２４により、ガイドされる。また、図７（Ａ）、（Ｂ）、（Ｃ）に示すように、取付板部６の先端が弾性脚部１３、１３の先端部の傾斜面にガイドされる。このために、第１規制手段、第２規制手段、抜け止め係合手段が所定の位置にガイドされて所定の位置で確実に作用する。これにより、この実施の形態におけるウオッシャノズルの取付構造は、ワイパアーム１の取付板部６にウオッシャノズル部材１１を確実に組み付けることができる。
【００３１】
【発明の効果】
以上から明らかなように、この発明にかかるワイパアームにおけるウオッシャノズルの取付構造は、ワイパアームの取付板部にウオッシャノズル部材を組み付ける際に、取付板部に挟み込み取付部を差し込むと、抜け止め係合手段の傾斜面が当接スライドすると共に、挟み込み取付部の弾性変形部が弾性変形する。このために、この発明にかかるワイパアームにおけるウオッシャノズルの取付構造は、ワイパアームの取付板部にウオッシャノズル部材を簡単に組み付けることができる。
【００３２】
また、この発明にかかるワイパアームにおけるウオッシャノズルの取付構造は、ワイパアームの取付板部にウオッシャノズル部材を一旦組み付けると、挟み込み取付部が取付板部を挟み込み、第１規制手段が差し込み方向の動きを規制し、第２規制手段が挟み込み方向および差し込み方向とそれぞれ交差する方向の動きを規制し、抜け止め手段が差し込み方向と反対方向の抜けを防止する。これにより、この発明にかかるワイパアームにおけるウオッシャノズルの取付構造は、一旦組み付けるとウオッシャノズル部材がワイパアームの取付板部に確実に取り付けられる。特に、この発明にかかるワイパアームにおけるウオッシャノズルの取付構造は、取付板部にウオッシャノズル部材を組み付ける際に、取付板部のガイドとウオッシャノズル部材のガイドとのガイド作用により、第１規制手段および第２規制手段および抜け止め手段が所定の位置にガイドされる。これにより、この発明にかかるワイパアームにおけるウオッシャノズルの取付構造は、取付板部にウオッシャノズル部材を確実に組み付けることができる。
【図面の簡単な説明】
【図１】この発明のワイパアームにおけるウオッシャノズルの取付構造の実施の形態を示す斜視図である。
【図２】図１におけるＩＩ−ＩＩ線矢視図である。
【図３】（Ａ）はウオッシャノズル部材を取り付ける前のワイパアームを示す一部底面図、（Ｂ）は（Ａ）におけるＢ矢視図である。
【図４】（Ａ）はウオッシャノズル部材を示す底面図、（Ｂ）は（Ａ）におけるＢ矢視図、（Ｃ）は（Ａ）におけるＣ矢視図である。
【図５】（Ａ）は図４（Ａ）に対応する断面図、（Ｂ）は図４（Ｂ）に対応する断面図、（Ｃ）は図４（Ｃ）に対応する断面図である。
【図６】（Ａ）はワイパアームにウオッシャノズル部材を取り付ける前を示す一部底面図、（Ｂ）はワイパアームにウオッシャノズル部材を取り付けた後を示す一部底面図である。
【図７】（Ａ）はワイパアームにウオッシャノズル部材を取り付ける前を示す図６（Ｂ）におけるＶＩＩ−ＶＩＩ線断面図、（Ｂ）はワイパアームにウオッシャノズル部材を取り付ける途中を示す図６（Ｂ）におけるＶＩＩ−ＶＩＩ線断面図、（Ｃ）はワイパアームにウオッシャノズル部材を取り付けた後を示す図６（Ｂ）におけるＶＩＩ−ＶＩＩ線断面図である。
【図８】（Ａ）はワイパアームにウオッシャノズル部材を取り付ける前を示す図６（Ｂ）におけるＶＩＩＩ−ＶＩＩＩ線断面図、（Ｂ）はワイパアームにウオッシャノズル部材を取り付けた後を示す図６（Ｂ）におけるＶＩＩＩ−ＶＩＩＩ線断面図である。
【図９】（Ａ）はワイパアームにウオッシャノズル部材を取り付ける前を示す図６（Ｂ）におけるＩＸ−ＩＸ線断面図、（Ｂ）はワイパアームにウオッシャノズル部材を取り付ける途中を示す図６（Ｂ）におけるＩＸ−ＩＸ線断面図、（Ｃ）はワイパアームにウオッシャノズル部材を取り付けた後を示す図６（Ｂ）におけるＩＸ−ＩＸ線断面図である。
【符号の説明】
１  ワイパアーム
２  アームヘッド
３  リテーナ
４  ワイパ軸
５  リベット
６  取付板部
７  当接面（第１規制手段）
８  当接面（第２規制手段）
９  凸片（抜け止め係合手段）
９０  係合面
１０  傾斜面
１１  ウオッシャノズル部材
１２  本体部（挟み込み取付部）
１３、１３  弾性脚部（挟み込み取付部）
１４、１４  弾性変形部
１５、１５  当接面（第２規制手段）
１６  台部
１７  当接面（第１規制手段）
１８  管部
１９  凸部（抜け止め係合手段）
１９０  係合面
２０  傾斜面
２１  噴射口
２２  供給路
２３  チューブなど
２４  ガイド面
Ａ  差し込み方向
Ｄ  差し込み方向Ａと反対方向
Ｅ  挟み込み方向と反対方向
Ｆ  挟み込み方向および差し込み方向Ａとそれぞれ交差する方向
Ｇ  本体部１２の開き方向
【図１】
0004045758.tif 000002
【図２】
0004045758.tif 000003
【図３】
0004045758.tif 000004
【図４】
0004045758.tif 000005
【図５】
0004045758.tif 000006
【図６】
0004045758.tif 000007
【図７】
0004045758.tif 000008
【図８】
0004045758.tif 000009
【図９】
0004045758.tif 000010